(57)【要約】【課題】様々なアングルに表示可能な能力を有しながらも、必要最低限の移動範囲は確保しつつ不用意に必要のない角度に動く事態を防ぐ。【解決手段】左右方向に揺動する第一揺動手段（第一揺動部材２２および第二揺動部材２３）が作用しているときは、上下方向に揺動する第二揺動手段（第三揺動部材２４および第四揺動部材２５）の作用を規制手段（第三規制部３３および第四規制部３４）によって規制する。一方、上下方向に揺動する第二揺動手段（第三揺動部材２４および第四揺動部材２５）が作用しているときには、左右方向に揺動する第一揺動手段（第一揺動部材２２および第二揺動部材２３）の作用を規制手段（第一規制部３１および第二規制部３２）によって規制する。この結果、所望とする方向以外の異なる方向の揺動が混在しないので、表示手段２０を所望とする方向にのみ安定して迅速かつ容易に表示手段２０を移動することができる。【選択図】        図２
2007286177.tif 000002
【特許請求の範囲】
【請求項１】
所定の基部に表示手段を配置して当該表示手段を所定の基準位置から移動可能に設けた表示装置において、
前記基部に対して第一の方向に揺動可能に設けた第一揺動部材と、
前記第一揺動部材に対して第一の方向と同方向に揺動可能に設けた第二揺動部材と、
前記第二揺動部材に対して第一の方向とは異なる第二の方向に揺動可能に設けた第三揺動部材と、
前記表示手段を配置してあって前記第三揺動部材に対して第二の方向と同方向に揺動可能に設けた第四揺動部材と、
前記表示手段が前記基準位置にある場合に前記第一揺動部材の揺動を許し、前記第三揺動部材の揺動に伴って前記表示手段が基準位置から移動した場合に前記第一揺動部材の揺動を規制する第一規制部と、
前記第一揺動部材が基部に対して揺動した場合に前記第二揺動部材の揺動を許し、前記第一揺動部材が基部に対して揺動していない場合に前記第二揺動部材の揺動を規制する第二規制部と、
前記表示手段が基準位置にある場合に前記第三揺動部材の揺動を許し、前記第一揺動部材の揺動に伴って前記表示手段が基準位置から移動した場合に前記第三揺動部材の揺動を規制する第三規制部と、
前記第三揺動部材が第二揺動部材に対して揺動した場合に前記第四揺動部材の揺動を許し、前記第三揺動部材が第二揺動部材に対して揺動していない場合に前記第四揺動部材の揺動を規制する第四規制部と
を備えたことを特徴とする表示装置。
【請求項２】
所定の基部に対して表示面を外向きにして配置した表示手段と、
前記表示面の向きを変える態様で前記表示手段を所定方向に揺動させる第一揺動手段と、
前記表示面の向きを他に変える態様で前記表示手段を前記所定方向と捩れの関係にある他の方向に揺動させる第二揺動手段と、
前記第一揺動手段を作用させている場合には前記第二揺動手段の作用を規制し、前記第二揺動手段を作用させている場合には前記第一揺動手段の作用を規制する規制手段と
を備えたことを特徴とする表示装置。
【請求項３】
前記基部は被写体像を撮る撮像部であって、前記表示手段は前記撮像部で撮った被写体像を表示することを特徴とする請求項１または２に記載の表示装置。
【発明の詳細な説明】
【技術分野】
【０００１】
本発明は、表示装置に関するものである。
【背景技術】
【０００２】
カメラなどの撮像装置では、装置本体の背面部分に撮像レンズで撮る像を表示する液晶表示器などの表示手段を配置したものがある。この種の撮像装置では、様々なアングル（角度）での撮影を可能にするために装置本体に対して表示手段を移動するように構成してある。例えば、装置本体の背面に沿う基準位置に表示手段を配置して、装置本体の一側と表示手段の一側との間に設けた第一軸の周りに基準位置から略１８０°を回動させて表示手段を移動させる。さらに、第一軸のほぼ中央部に直交して設けた第二軸の周りに回動させて表示手段を移動させる。すなわち、表示手段の第一軸および第二軸周りの移動を組み合わせることによって、様々なアングルでの撮影が可能になる（例えば、特許文献１参照）。
【０００３】
【特許文献１】特開２００３−３１５８９１号公報
【発明の開示】
【発明が解決しようとする課題】
【０００４】
しかし、上述した構成は、表示手段を様々なアングルに設定することはできるが、何らかの外力が不用意にこの表示手段に働いてしまうとあらぬ方向に表示手段が動いてしまい、所望としない撮影範囲（撮影画角）を表示し、これを修正している間にシャッターチャンス等または必要操作を逸してしまう虞もある。
【０００５】
本発明は、上記に鑑みてなされたものであって、様々なアングルに表示可能な能力を有しながらも、必要最低限の移動範囲は確保しつつ不用意に必要のない方向に動く事態を防ぐことができる表示装置を提供することを目的とする。
【課題を解決するための手段】
【０００６】
上述した課題を解決し、目的を達成するために、本発明の請求項１に係る表示装置は、所定の基部に表示手段を配置して当該表示手段を所定の基準位置から移動可能に設けた表示装置において、前記基部に対して第一の方向に揺動可能に設けた第一揺動部材と、前記第一揺動部材に対して第一の方向と同方向に揺動可能に設けた第二揺動部材と、前記第二揺動部材に対して第一の方向とは異なる第二の方向に揺動可能に設けた第三揺動部材と、前記表示手段を配置してあって前記第三揺動部材に対して第二の方向と同方向に揺動可能に設けた第四揺動部材と、前記表示手段が前記基準位置にある場合に前記第一揺動部材の揺動を許し、前記第三揺動部材の揺動に伴って前記表示手段が基準位置から移動した場合に前記第一揺動部材の揺動を規制する第一規制部と、前記第一揺動部材が基部に対して揺動した場合に前記第二揺動部材の揺動を許し、前記第一揺動部材が基部に対して揺動していない場合に前記第二揺動部材の揺動を規制する第二規制部と、前記表示手段が基準位置にある場合に前記第三揺動部材の揺動を許し、前記第一揺動部材の揺動に伴って前記表示手段が基準位置から移動した場合に前記第三揺動部材の揺動を規制する第三規制部と、前記第三揺動部材が第二揺動部材に対して揺動した場合に前記第四揺動部材の揺動を許し、前記第三揺動部材が第二揺動部材に対して揺動していない場合に前記第四揺動部材の揺動を規制する第四規制部とを備えたことを特徴とする。
【０００７】
本発明の請求項２に係る表示装置は、所定の基部に対して表示面を外向きにして配置した表示手段と、前記表示面の向きを変える態様で前記表示手段を所定方向に揺動させる第一揺動手段と、前記表示面の向きを他に変える態様で前記表示手段を前記所定方向と捩れの関係にある他の方向に揺動させる第二揺動手段と、前記第一揺動手段を作用させている場合には前記第二揺動手段の作用を規制し、前記第二揺動手段を作用させている場合には前記第一揺動手段の作用を規制する規制手段とを備えたことを特徴とする。
【０００８】
本発明の請求項３に係る表示装置は、上記請求項１または２において、前記基部は被写体像を撮る撮像部であって、前記表示手段は前記撮像部で撮った被写体像を表示することを特徴とする。
【発明の効果】
【０００９】
本発明に係る表示装置は、第一の方向に揺動する第一揺動手段（第一揺動部材および第二揺動部材）が作用しているときは、第一の方向とは異なる第二の方向に揺動する第二揺動手段（第三揺動部材および第四揺動部材）の作用を規制手段（第三規制部および第四規制部）によって規制する。そして、第二の方向に揺動する第二揺動手段（第三揺動部材および第四揺動部材）が作用しているときには、第二の方向とは異なる第一の方向に揺動する第一揺動手段（第一揺動部材および第二揺動部材）の作用を規制手段（第一規制部および第二規制部）によって規制する。このため、所望とする方向以外の異なる方向の揺動が混在しないので、表示手段を所望とする方向にのみ安定して移動させることができる。また、様々な角度に合わせて表示手段を移動することもできる。すなわち、様々なアングルに表示可能な能力を有しながらも、必要最低限の移動範囲は確保しつつ不用意に必要のない方向に動く事態を防ぐことができる。
【００１０】
また、表示手段は、撮像装置で撮像する被写体像を表示する。このように、表示装置を撮像装置に適用した場合に、様々な基部の角度に合わせて迅速かつ容易に表示手段を移動することが可能なので、被写体像の位置合わせや撮像を迅速かつ容易に行うことができる。
【発明を実施するための最良の形態】
【００１１】
以下に添付図面を参照して、本発明の好適な実施の形態を詳細に説明する。なお、この実施の形態によりこの発明が限定されるものではない。
【００１２】
図１は表示装置を適用した撮像装置を背面から見た斜視図である。ここで説明する撮像装置は、例えば、写真を撮るカメラであって、特にフィルムを用いずに、被写体像を撮像素子（ＣＣＤなど）によって撮像して、撮像した画像をデジタル情報として記憶媒体に蓄積するデジタルカメラを示す。
【００１３】
図１に示すように撮像装置（撮像部）は、略矩形の筐体をなす撮像装置本体１０の正面部分に撮像レンズ１１が設けてある。撮像レンズ１１は、撮像装置本体１０の内部に配置した撮像素子（図示せず）に対して被写体像を結像するものあって、その光軸Ｏを正面・背面方向に沿うようにして設けてある。また、撮像装置本体１０の上面部分には、撮像装置を動作状態または非動作状態にするための電源スイッチ１２、および撮像指示を入力操作するためのレリーズボタン１３が設けてある。また、撮像装置本体１０の背面部分には、撮像レンズ１１で結像する被写体像を見るファインダ１４、および表示装置を構成する液晶表示素子などからなる表示手段２０が設けてある。さらに、撮像装置本体１０の背面部分には、撮像装置の動作状態において撮像レンズ１１で撮る被写体像を表示手段２０に表示させるための表示ボタン１５が設けてある。その他、撮像装置本体１０の背面部分には、撮像装置の各種設定などを行うための操作ボタンが設けてある。
【００１４】
上述した撮像装置は、電源スイッチ１２を操作して動作状態とし、撮像レンズ１１で結像する被写体像をファインダ１４もしくは表示手段２０で見て確認し、レリーズボタン１３を押下することによって、撮像レンズ１１で結像した被写体像を撮像素子（図示せず）で撮像して、その画像を記憶媒体（図示せず）に蓄積する。また、撮像装置は、上記動作状態において画像再生用の操作によって、記憶媒体に蓄積した画像を表示手段２０に表示する。
【００１５】
表示装置は、撮像装置本体（基部）１０の背面部分に設けてあって、上述したように撮像レンズ１１で撮る被写体像や、記憶媒体に蓄積した画像を表示するための表示手段２０を有している。表示手段２０は、略直方形状の外形をなして、図１に示すように撮像装置本体１０の背面部分に略矩形状に開口して設けた収容凹部１０１に収まるように形成してある。表示手段２０は、図１に示すように収容凹部１０１に収められた基準位置で、背面側に向く面に矩形状とした表示面２０１を有している。そして、表示装置は、撮像装置本体１０に対して表示手段２０を基準位置から移動させるものである。
【００１６】
図２は表示装置を下方から見た分解斜視図である。図２に示すように表示装置は、表示手段２０に加え、固定部材２１、第一揺動部材２２、第二揺動部材２３、第三揺動部材２４および第四揺動部材２５を備えている。
【００１７】
固定部材２１は、平板状とした板金２１１の板面を収容凹部１０１の底面にネジで固定してある。さらに、固定部材２１は、板金２１１の上下端部を収容凹部１０１の外方向であって撮像装置本体１０の背面方向に折り曲げて立てて設けた一対の支持片２１２を有している。各支持片２１２には、支軸孔２１３および長孔２１４が設けてある。支軸孔２１３は、支持片２１２の一側であって撮像装置本体１０の左方向寄りに設けてある。長孔２１４は、支持片２１２の中央にて一側から他側の方向であって撮像装置本体１０の左右方向に長手状に設けてある。
【００１８】
第一揺動部材２２は、平板状とした板金２２１の上下端部を撮像装置本体１０の背面方向に折り曲げて立てて設けた一対の支持片２２２を有している。各支持片２２２には、支軸（第一支軸）２２３、連結アーム２２４および支軸孔２２５が設けてある。支軸２２３は、支持片２２２の一側であって撮像装置本体１０の左方向寄りに鉛直方向に伸びて設けてあって、固定部材２１の支軸孔２１３に支承される。連結アーム２２４は、長手形状とした中間部が支持片２２２の中央に回転可能に支承してあって、その一端に設けたピン２２４１が固定部材２１の長孔２１４に挿通される。支軸孔２２５は、支持片２２２の他側であって撮像装置本体１０の右方向寄りに設けてある。すなわち、第一揺動部材２２は、固定部材２１における板金２１１の板面に対して、自身の板金２２１の板面を沿わせつつ固定部材２１の各支持片２１２の間に収められた基準位置の形態で固定部材２１に取り付けられる。そして、第一揺動部材２２は、固定部材２１に対し、撮像装置本体１０の左方向寄りに設けた支軸孔２１３および支軸２２３を中心として基準位置から左右方向（第一の方向）に揺動する。さらに、第一揺動部材２２は、上記揺動に際して連結アーム２２４のピン２２４１と固定部材２１の長孔２１４との係合によって揺動角度が規定される。このように、第一揺動部材２２は、固定部材２１（撮像装置本体（基部）１０）に対して揺動可能に設けてある。
【００１９】
第二揺動部材２３は、平板状とした板金２３１の上下端部中央を撮像装置本体１０の正面方向に折り曲げて立てて設けた一対の支持片２３２を有している。各支持片２３２には、支軸（第二支軸）２３３が設けてある。支軸２３３は、鉛直方向に伸びて第一揺動部材２２の支軸孔２２５に支承され、第一揺動部材２２の支軸２２３と平行に配置される。また、第二揺動部材２３は、板金２３１の左右端部を撮像装置本体１０の背面方向に折り曲げて立てて設けた一対の支持片２３４を有している。各支持片２３４には、支軸孔２３５および長孔２３６が設けてある。支軸孔２３５は、支持片２３４の一側であって撮像装置本体１０の下方向寄りに設けてある。長孔２３６は、支持片２３４の中央にて一側から他側の方向であって撮像装置本体１０の上下方向に長手状に設けてある。すなわち、第二揺動部材２３は、第一揺動部材２２における板金２２１の板面に対して、自身の板金２３１の板面を沿わせつつ第一揺動部材２２の各支持片２２２の間に収められた基準位置の形態で第一揺動部材２２に取り付けられる。そして、第二揺動部材２３は、第一揺動部材２２に対し、撮像装置本体１０の右方向寄りに設けた支軸孔２２５および支軸２３３を中心として基準位置から左右方向（第二の方向）に揺動する。このように、第二揺動部材２３は、第一揺動部材２２に対し、当該第一揺動部材２２との間に設けた支軸２３３周りに揺動可能に設けてある。
【００２０】
第三揺動部材２４は、平板状とした板金２４１の左右端部を撮像装置本体１０の背面方向に折り曲げて立てて設けた一対の支持片２４２を有している。各支持片２４２には、支軸（第三支軸）２４３、連結アーム２４４および支軸孔２４５が設けてある。支軸２４３は、支持片２４２の一側であって撮像装置本体１０の下方向寄りに設けてあって、第二揺動部材２３の支軸孔２３５に支承され、第一揺動部材２２の支軸２２３および第二揺動部材２３の支軸２３３に対して捩れの位置となる左右方向に伸びて配置される。連結アーム２４４は、長手形状とした中間部が支持片２４２の中央に回転可能に支承してあって、その一端に左右方向に伸びて設けたピン２４４１が第二揺動部材２３の長孔２３６に挿通される。支軸孔２４５は、支持片２４２の他側であって撮像装置本体１０の上方向寄りに設けてある。すなわち、第三揺動部材２４は、第二揺動部材２３における板金２３１の板面に対して、自身の板金２４１の板面を沿わせつつ第二揺動部材２３の各支持片２３４の間に収められた基準位置の形態で第二揺動部材２３に取り付けられる。そして、第三揺動部材２４は、第二揺動部材２３に対し、撮像装置本体１０の下方向寄りに設けた支軸孔２３５および支軸２４３を中心として基準位置から上下方向（第三の方向）に揺動する。さらに、第三揺動部材２４は、上記揺動に際して連結アーム２４４のピン２４４１と第二揺動部材２３の長孔２３６との係合によって揺動角度が規定される。このように、第三揺動部材２４は、第二揺動部材２３に対し、当該第二揺動部材２３との間に設けた支軸２４３周りに揺動可能に設けてある。
【００２１】
第四揺動部材２５は、平板状とした板金２５１の左右端部を撮像装置本体１０の背面方向に折り曲げて立てて設けた一対の支持片２５２を有している。各支持片２５２には、支軸（第四支軸）２５３が左右方向に伸びて設けてある。支軸２５３は、支持片２５２の一側であって撮像装置本体１０の上方向寄りに設けてあって、第三揺動部材２４の支軸孔２４５に支承され、第三揺動部材２４の支軸２４３と平行に配置される。すなわち、第四揺動部材２５は、第三揺動部材２４における板金２４１の板面に対して、自身の板金２５１の板面を沿わせつつ第三揺動部材２４の各支持片２４２の間に収められた基準位置の形態で第三揺動部材２４に取り付けられる。そして、第四揺動部材２５は、第三揺動部材２４に対し、撮像装置本体１０の上方向寄りに設けた支軸孔２４５および支軸２５３を中心として基準位置から上下方向（第四の方向）に揺動する。このように、第四揺動部材２５は、第三揺動部材２４に対し、当該第三揺動部材２４との間に設けた支軸２５３周りに揺動可能に設けてある。さらに、第四揺動部材２５の板金２５１の板面には、表示手段２０がネジによって固定してある。
【００２２】
また、上記表示装置において、表示手段２０には、撮像装置本体１０から引き出されたフレキシブルプリント基板２６が接続してある。フレキシブルプリント基板２６は、撮像装置本体１０から第一揺動部材２２、第二揺動部材２３および第三揺動部材２４のそれぞれに沿って表示手段２０へと導かれている。具体的には、図２に示すようにフレキシブルプリント基板２６は、固定部材２１の板金２１１の左端から、当該板金２１１と第一揺動部材２２の板金２２１との間を通過して、第一揺動部材２２の右端に至る。続いて、フレキシブルプリント基板２６は、第一揺動部材２２の板金２２１の右端で折り返して左側に向かい、板金２２１と第二揺動部材２３の板金２３１との間を通りつつ、板金２３１の略中央に設けた貫通孔２３７を撮像装置本体１０の背面方向に通過する。続いて、フレキシブルプリント基板２６は、貫通孔２３７で折り返して右側に向かい、板金２３１と第三揺動部材２４の板金２４１との間を通りつつ略Ｚ字形状に形成されて第三揺動部材２４の下端部に至り、この下端部で折り返して上側に向かって第三揺動部材２４の上端に至る。続いて、フレキシブルプリント基板２６は、第三揺動部材２４の上端から表示手段２０に至る。すなわち、フレキシブルプリント基板２６は、曲げや捩りに柔軟に対応して固定部材２１と第一揺動部材２２との間、第一揺動部材２２と第二揺動部材２３との間、第二揺動部材２３と第三揺動部材２４との間を通りつつ、各支軸２２３，２３３，２４３，２５３の部位で折り返してある。この結果、フレキシブルプリント基板２６は、各揺動部材２２，２３，２４，２５の揺動を阻害することなく撮像装置本体１０から表示手段２０に至り配線される。
【００２３】
ところで、上記表示装置は、同じ方向に揺動する第一揺動手段である第一揺動部材２２および第二揺動部材２３が揺動した場合に、異なる方向に揺動する第二揺動手段である第三揺動部材２４および第四揺動部材２５の揺動を規制し、第三揺動部材２４および第四揺動部材２５が揺動した場合に第一揺動部材２２および第二揺動部材２３の揺動を規制する規制手段を備えている。
【００２４】
図２に示すように規制手段は、第一規制部３１、第二規制部３２、第三規制部３３および第四規制部３４からなる。
【００２５】
第一規制部３１は、フック部材３１１とバネ３１２とを備えている。フック部材３１１は、略コ字形状に形成してあり、一端が外側に向けて延在する鉤部３１１１をなし、他端が連続して真直に延在した押圧部３１１２をなしている。このフック部材３１１は、撮像装置本体１０の収容凹部１０１に、上下方向に延在する軸（図示せず）によって回転可能（揺動可能）に支承してあり、バネ３１２によって鉤部３１１１が正面側に移動するように付勢してある。そして、フック部材３１１の鉤部３１１１は、第一揺動部材２２の板金２２１に設けた係止孔２２６に挿通可能に設けてあり、バネ３１２の付勢によって基準位置の形態にある第一揺動部材２２の係止孔２２６に係止して第一揺動部材２２の揺動を規制する（規制状態）。そして、フック部材３１１の鉤部３１１１は、押圧部３１１２がバネ３１２の付勢力に抗して押圧された場合に、第一揺動部材２２の係止孔２２６の係止から外れて第一揺動部材２２の揺動を許す（解除状態）。なお、フック部材３１１の押圧部３１１２は、基準位置にある表示手段２０、または第三揺動部材２４の板金２４１によって正面方向に押圧される。すなわち、第一規制部３１は、表示手段２０が基準位置にある場合に第一揺動部材２２の揺動を許し、第三揺動部材２４の揺動に伴って表示手段２０が基準位置から移動した場合に第一揺動部材２２の揺動を規制する。
【００２６】
第二規制部３２は、フック部材３２１とバネ３２２とを備えている。フック部材３２１は、略コの字形状に形成してあり、一端がコの字内側に向けて延在する鉤部３２１１をなし、他端が外側に延在した押圧部３２１２をなしている。このフック部材３２１は、第一揺動部材２２の支持片２２２の中央部に、上下方向に延在する軸（図示せず）によって回転可能（揺動可能）に支承してあり、バネ３２２によって鉤部３２１１が背面側に移動するように付勢してある。そして、フック部材３２１の鉤部３２１１は、第二揺動部材２３の板金２３１に設けた係止孔２３８に挿通可能に設けてあり、バネ３２２の付勢によって基準位置の形態にある第二揺動部材２３の係止孔２３８に係止して第二揺動部材２３の揺動を規制する（規制状態）。そして、フック部材３２１の鉤部３２１１は、押圧部３２１２がバネ３２２の付勢力に抗して押圧された場合に、第二揺動部材２３の係止孔２３８の係止から外れて第二揺動部材２３の揺動を許す（解除状態）。なお、フック部材３２１の押圧部３２１２は、第一揺動部材２２が揺動した際に作動する連結アーム２２４の他端２２４２によって背面側に押圧される。すなわち、第二規制部３２は、第一揺動部材２２が固定部材２１（撮像装置本体（基部）１０）に対して揺動した場合に第二揺動部材２３の揺動を許し、第一揺動部材２２が固定部材２１（撮像装置本体（基部）１０）に対して揺動していない場合に第二揺動部材２３の揺動を規制する。
【００２７】
第三規制部３３は、フック部材３３１とバネ３３２とを備えている。フック部材３３１は、略Ｚ字形状に形成してあり、一端が内側に向けて延在する鉤部３３１１をなし、他端が連続して真直に延在した押圧部３３１２をなしている。このフック部材３３１は、第二揺動部材２３の支持片２３４に、左右方向に延在する軸（図示せず）によって回転可能（揺動可能）に支承してあり、バネ３３２によって鉤部３３１１が背面側に移動するように付勢してある。そして、フック部材３３１の鉤部３３１１は、第三揺動部材２４の支持片２４２に設けた係止片２４６に係止可能に設けてあり、第二揺動部材２３が基準位置から外れた揺動状態、すなわち第一揺動部材２２が基準位置から外れた揺動状態では、バネ３３２の付勢によって第三揺動部材２４の係止片２４６に係止して第三揺動部材２４の揺動を規制する（規制状態）。そして、フック部材３３１の鉤部３３１１は、押圧部３３１２がバネ３３２の付勢力に抗して押圧されている場合、すなわち第二揺動部材２３と第三揺動部材２４とが基準位置にある場合に、第三揺動部材２４の係止片２４６の係止から外れて第三揺動部材２４の揺動を許す状態にある（解除状態）。なお、フック部材３３１の押圧部３３１２は、表示手段２０が基準位置にある場合に撮像装置本体１０によって背面方向に押圧される。すなわち、第三規制部３３は、表示手段２０が基準位置にある場合に第三揺動部材２４の揺動を許し、第一揺動部材２２の揺動に伴って表示手段２０が基準位置から移動した場合に第三揺動部材２４の揺動を規制する。
【００２８】
第四規制部３４は、フック部材３４１とバネ３４２とを備えている。フック部材３４１は、略コの字形状に形成してあり、一端がコの字内側に向けて延在する鉤部３４１１をなし、他端が外側に延在した押圧部３４１２をなしている。このフック部材３４１は、第三揺動部材２４の支持片２４２の中央部に、左右方向に延在する軸（図示せず）によって回転可能（揺動可能）に支承してあり、バネ３４２によって鉤部３４１１が背面側に移動するように付勢してある。そして、フック部材３４１の鉤部３４１１は、第四揺動部材２５の板金２５１に設けた切欠２５４に挿通可能に設けてあり、第三揺動部材２４が第二揺動部材２３に対して揺動していない状態では、バネ３４２の付勢によって第四揺動部材２５の切欠２５４に係止して第四揺動部材２５の揺動を規制する（規制状態）。そして、フック部材３４１の鉤部３４１１は、押圧部３４１２がバネ３４２の付勢力に抗して押圧された場合に、第四揺動部材２５の切欠２５４の係止から外れて第四揺動部材２５の揺動を許す状態にある（解除状態）。なお、フック部材３４１の押圧部３４１２は、第三揺動部材２４が揺動した際に作動する連結アーム２４４の他端２４４２によって背面側に押圧される。すなわち、第四規制部３４は、第三揺動部材２４が第二揺動部材２３に対して揺動した場合に第四揺動部材２５の揺動を許し、第三揺動部材２４が第二揺動部材２３に対して揺動していない場合に第四揺動部材２５の揺動を規制する。
【００２９】
図３〜図６は表示装置の動作を示す斜視図である。ここで、図１に示す表示手段２０の基準位置では、第一規制部３１が解除状態、第二規制部３２が規制状態、第三規制部３３が解除状態、第四規制部３４が規制状態にある。すなわち、図１に示す基準位置では、第一揺動部材２２および第三揺動部材２４が揺動可能な状態にある。
【００３０】
先ず、上述したように図１の基準位置では、第一規制部３１が解除状態にあるため、第一揺動部材２２は揺動可能な状態にある。そこで、図３に示すように第一揺動部材２２を揺動させて表示手段２０を移動する。第一揺動部材２２には、第二揺動部材２３、第三揺動部材２４および第四揺動部材２５を介して表示手段２０が取り付けてある。このため、表示手段２０は、第一揺動部材２２の揺動に伴って支軸（第一支軸）２２３周りに左端側を軸にして左右方向（第一の方向）に揺動することになる。このように、第一揺動部材２２を揺動させた場合、表示手段２０が左端側を軸にして左右方向に揺動するため、表示面２０１が撮像レンズ１１の光軸Ｏに交わる範囲内で表示手段２０を揺動させることになる。ここでは、撮像装置を横位置（横長フレーム）にして表示手段２０の表示面２０１に表示した被写体像を左方から見たアングル（角度）で撮影を行うことができる。さらに、撮像装置を縦位置（縦長フレーム）にして表示手段２０の表示面２０１に表示した被写体像を上方や下方から見たアングル（角度）で撮影を行うことができる。
【００３１】
第一揺動部材２２を揺動させたとき、第二規制部３２は、第一揺動部材２２の揺動に伴って押圧部３２１２が第一揺動部材２２の連結アーム２２４で押圧されるので第二揺動部材２３を揺動可能にした解除状態になる。また、第三規制部３３は、第一揺動部材２２の揺動に伴って押圧部３３１２が撮像装置本体１０から離れるので第三揺動部材２４の揺動を規制する規制状態になる。そして、第四規制部３４は、規制状態のままである。すなわち、第一揺動手段である第一揺動部材２２の揺動に伴って、第一揺動手段である第二揺動部材２３が揺動可能な状態になり、第二揺動手段である第三揺動部材２４および第四揺動部材２５が揺動を規制された状態になる。
【００３２】
そこで、図４に示すように第二揺動部材２３を揺動させる。第二揺動部材２３には、第三揺動部材２４および第四揺動部材２５を介して表示手段２０が取り付けてある。このため、表示手段２０は、第二揺動部材２３の揺動に伴って支軸（第二支軸）２３３周りにほぼ中央を軸にして左右方向に揺動することになる。このように、第二揺動部材２３を揺動させた場合、表示手段２０がほぼ中央を軸にして第一揺動部材２２と同方向に揺動するため、表示面２０１が撮像レンズ１１の光軸Ｏに交わる範囲内で表示手段２０を揺動させることになる。ここでは、撮像装置を横位置（横長フレーム）にして表示手段２０の表示面２０１に表示した被写体像を右方から見たアングル（角度）で撮影を行うことができる。さらに、撮像装置を縦位置（縦長フレーム）にして表示手段２０の表示面２０１に表示した被写体像を上方や下方から見たアングル（角度）で撮影を行うことができる。
【００３３】
第二揺動部材２３を揺動させたとき、第三規制部３３は、第一揺動部材２２の揺動に伴って押圧部３３１２が撮像装置本体１０から離れているので第三揺動部材２４の揺動を規制する規制状態に入る。そして、第四規制部３４は、規制状態のままである。すなわち、第一揺動手段である第一揺動部材２２および第二揺動部材２３を基準位置の形態に戻して表示手段２０を基準位置にしない限りは、第二揺動手段である第三揺動部材２４および第四揺動部材２５は揺動を規制されたままになる。
【００３４】
次に、図５に示すように図１の基準位置から第三揺動部材２４を揺動させて表示手段２０を移動する。上述したように第三規制部３３が解除状態にあるため、第三揺動部材２４は揺動可能な状態にある。そこで、第三揺動部材２４を揺動させる。第三揺動部材２４には、第四揺動部材２５を介して表示手段２０が取り付けてある。このため、表示手段２０は、第三揺動部材２４の揺動に伴って支軸（第三支軸）２４３周りに下端側を軸にして上下方向（第一の方向と異なり捩れの関係にある第二の方向）に揺動することになる。このように、第三揺動部材２４を揺動させた場合、表示手段２０が下端側を軸にして上下方向に揺動するため、表示面２０１が撮像レンズ１１の光軸Ｏに交わる範囲内で表示手段２０を揺動させることになる。ここでは、撮像装置を横位置（横長フレーム）にして表示手段２０の表示面２０１に表示した被写体像を下方から見たアングル（角度）で撮影を行うことができる。さらに、撮像装置を縦位置（縦長フレーム）にして表示手段２０の表示面２０１に表示した被写体像を左方や右方から見たアングル（角度）で撮影を行うことができる。
【００３５】
第三揺動部材２４を揺動させたとき、第四規制部３４は、第三揺動部材２４の揺動に伴って押圧部３４１２が第三揺動部材２４の連結アーム２４４で押圧されるので第四揺動部材２５を揺動可能にした解除状態になる。また、第一規制部３１は、第三揺動部材２４の揺動に伴って表示手段２０および第三揺動部材２４が押圧部３１１２から離れるので第一揺動部材２２の揺動を規制する規制状態になる。そして、第二規制部３２は、規制状態のままである。すなわち、第二揺動手段である第三揺動部材２４の揺動に伴って、第二揺動手段である第四揺動部材２５が揺動可能な状態になり、第一揺動手段である第一揺動部材２２および第二揺動部材２３が揺動を規制された状態になる。
【００３６】
そこで、図６に示すように第四揺動部材２５を揺動させる。第四揺動部材２５には、表示手段２０が取り付けてある。このため、表示手段２０は、第四揺動部材２５の揺動に伴って支軸（第四支軸）２５３周りに上端側を軸にして上下方向に揺動することになる。このように、第四揺動部材２５を揺動させた場合、表示手段２０が上端側を軸にして第三揺動部材２４と同方向に揺動するため、表示面２０１が撮像レンズ１１の光軸Ｏに交わる範囲内で表示手段２０を揺動させることになる。ここでは、撮像装置を横位置（横長フレーム）にして表示手段２０の表示面２０１に表示した被写体像を上方から見たアングル（角度）で撮影を行うことができる。さらに、撮像装置を縦位置（縦長フレーム）にして表示手段２０の表示面２０１に表示した被写体像を左方や右方から見たアングル（角度）で撮影を行うことができる。
【００３７】
第四揺動部材２５を揺動させたとき、第一規制部３１は、第三揺動部材２４の揺動に伴って表示手段２０および第三揺動部材２４が押圧部３１１２から離れているので第一揺動部材２２の揺動を規制する規制状態のままである。そして、第二規制部３２は、規制状態のままである。すなわち、第二揺動手段である第三揺動部材２４および第四揺動部材２５を基準位置の形態に戻して表示手段２０を基準位置にしない限りは、第一揺動手段である第一揺動部材２２および第二揺動部材２３は揺動を規制されたままになる。
【００３８】
なお、各揺動部材２２，２３，２４，２５は、支軸（第一支軸）２２３、支軸（第二支軸）２３３、支軸（第三支軸）２４３支軸（第四支軸）２５３周りの揺動に所定の摩擦抵抗が付与されており、これによって無段階で揺動位置を保持できるように構成してある。
【００３９】
このように、上述した表示装置は、撮像装置本体（基部）１０に対して左右方向（第一の方向）に揺動可能に設けた第一揺動部材２２と、第一揺動部材２２に対して左右方向（第一の方向と同方向）に揺動可能に設けた第二揺動部材２３と、第二揺動部材２３に対して上下方向（第一の方向とは異なる第二の方向）に揺動可能に設けた第三揺動部材２４と、第三揺動部材２４に対して上下方向（第二の方向と同方向）に揺動可能に設けた第四揺動部材２５と、第四揺動部材２５に設けた表示手段２０とを備えている。言い換えると、表示装置は、撮像装置本体（基部）１０に対して当該撮像装置本体１０との間に配置した支軸（第一支軸）２２３周りに揺動可能に設けた第一揺動部材２２と、第一揺動部材２２に対して当該第一揺動部材２２との間で支軸（第一支軸）２２３と平行に配置した支軸（第二支軸）２３３周りに揺動可能に設けた第二揺動部材２３と、第二揺動部材２３に対して当該第二揺動部材２３との間で支軸（第一支軸）２２３および支軸（第二支軸）２３３とは捩れの位置に配置した支軸（第三支軸）２４３周りに揺動可能に設けた第三揺動部材２４と、第三揺動部材２４に対して当該第三揺動部材２４との間で支軸（第三支軸）２４３と平行に配置した支軸（第四支軸）２５３周りに揺動可能に設けた第四揺動部材２５と、第四揺動部材２５に設けた表示手段２０とを備えている。
【００４０】
すなわち、第一揺動部材２２が撮像装置本体１０に対して左右方向に揺動し、第二揺動部材２３が第一揺動部材２２に対して左右方向に揺動し、第三揺動部材２４が第二揺動部材２３に対して上下方向に揺動し、第四揺動部材２５が第三揺動部材２４に対して上下方向に揺動する。この結果、所望の方向以外にも表示手段２０を移動させる能力を有しながら、所望の方向にのみ迅速かつ容易に表示手段２０を移動することが可能になる。
【００４１】
また、表示装置は、撮像装置本体（基部）１０に対して表示面２０１を外向きにして配置した表示手段２０と、表示面２０１の向きを変える態様で表示手段２０を左右方向（所定方向）に揺動させる第一揺動手段（第一揺動部材２２および第二揺動部材２３）と、表示面２０１の向きを他に変える態様で表示手段２０を左右方向と捩れの関係にある上下方向（他の方向）に揺動させる第二揺動手段（第三揺動部材２４および第四揺動部材２５）と、第一揺動手段を作用させている場合に第二揺動手段の作用を規制し、第二揺動手段を作用させている場合に第一揺動手段の作用を規制する規制手段（第一規制部３１、第二規制部３２、第三規制部３３および第四規制部３４）とを備えている。言い換えると、撮像装置本体（基部）１０に表示手段２０を配置して当該表示手段２０を所定の基準位置から移動可能に設けた表示装置において、撮像装置本体１０に対して左右方向（第一の方向）に揺動可能に設けた第一揺動部材２２と、第一揺動部材２２に対して左右方向（第一の方向と同方向）に揺動可能に設けた第二揺動部材２３と、第二揺動部材２３に対して左右方向（第一の方向）とは異なる上下方向（第二の方向）に揺動可能に設けた第三揺動部材２４と、表示手段２０を配置してあって第三揺動部材２４に対して上下方向（第二の方向と同方向）に揺動可能に設けた第四揺動部材２５と、表示手段２０が基準位置にある場合に第一揺動部材２２の揺動を許し、第三揺動部材２４の揺動に伴って表示手段２０が基準位置から移動した場合に第一揺動部材２２の揺動を規制する第一規制部３１と、第一揺動部材２２が撮像装置本体１０に対して揺動した場合に第二揺動部材２３の揺動を許し、第一揺動部材２２が撮像装置本体１０に対して揺動していない場合に第二揺動部材２３の揺動を規制する第二規制部３２と、表示手段２０が基準位置にある場合に第三揺動部材２４の揺動を許し、第一揺動部材２２の揺動に伴って表示手段２０が基準位置から移動した場合に第三揺動部材２４の揺動を規制する第三規制部３３と、第三揺動部材２４が第二揺動部材２３に対して揺動した場合に第四揺動部材２５の揺動を許し、第三揺動部材２４が第二揺動部材２３に対して揺動していない場合に第四揺動部材２５の揺動を規制する第四規制部３４とを備えている。
【００４２】
すなわち、左右方向に揺動する第一揺動手段（第一揺動部材２２および第二揺動部材２３）が作用しているときは、上下方向に揺動する第二揺動手段（第三揺動部材２４および第四揺動部材２５）の作用を規制する。そして、上下方向に揺動する第二揺動手段（第三揺動部材２４および第四揺動部材２５）が作用しているときには、左右方向に揺動する第一揺動手段（第一揺動部材２２および第二揺動部材２３）の作用を規制する。この結果、所望とする方向以外の異なる方向の揺動が混在しないので、表示手段２０を所望とする方向にのみ安定して、また様々な角度に合わせて表示手段２０を移動することも可能となっている。
【００４３】
また、撮像装置本体（基部）１０から第一揺動部材２２、第二揺動部材２３、第三揺動部材２４のそれぞれに沿って表示手段２０へと導かれたフレキシブルプリント基板２６を設けたことにより、各揺動部材２２，２３，２４，２５の揺動を阻害することなく撮像装置本体１０と表示手段２０とを接続することが可能になる。
【００４４】
また、上記表示装置の表示手段２０は、撮像装置で撮像する被写体像を表示する。このように、表示装置を撮像装置に適用した場合に、上述のごとく様々な撮像装置の角度に合わせて迅速かつ容易に表示手段２０を移動する能力を有しながら、不用意な方向に表示面２０１が向く事態を防ぐことが可能になる。
【００４５】
また、撮像レンズ１１で結像した被写体像を撮像する撮像装置において、撮像レンズ１１の光軸に交わる態様で被写体像を表示する表示面２０１を外向きにして撮像装置本体１０の背面に配置した表示手段２０と、表示面２０１が撮像レンズ１１の光軸Ｏに交わる範囲内で表示手段２０を左右方向（所定方向）に揺動させる第一揺動手段（第一揺動部材２２および第二揺動部材２３）と、表示面２０１が撮像レンズ１１の光軸Ｏに交わる範囲内で表示手段２０を左右方向（所定方向）と捩れの関係にある上下方向（他の方向）に揺動させる第二揺動手段（第三揺動部材２４および第四揺動部材２５）とを備えている。すなわち、移動した表示手段２０が撮像レンズ１１の光軸Ｏ上から外れることがない。この結果、特にマクロ撮影において、基準位置から移動した表示手段２０の表示を見ながら撮像を行う場合に、撮像レンズ１１で撮る像の位置合わせを行うことも可能となっている。
【図面の簡単な説明】
【００４６】
【図１】表示装置を適用した撮像装置を背面から見た斜視図である。
【図２】表示装置を下方から見た分解斜視図である。
【図３】表示装置の動作を示す斜視図である。
【図４】表示装置の動作を示す斜視図である。
【図５】表示装置の動作を示す斜視図である。
【図６】表示装置の動作を示す斜視図である。
【符号の説明】
【００４７】
１０    撮像装置本体（基部）
１０１    収容凹部
１１    撮像レンズ
２０    表示手段
２０１    表示面
２１    固定部材
２１１    板金
２１２    支持片
２１３    支軸孔
２１４    長孔
２２    第一揺動部材（第一揺動手段）
２２１    板金
２２２    支持片
２２３    支軸（第一支軸）
２２４    連結アーム
２２４１    ピン
２２４２    他端
２２５    支軸孔
２２６    係止孔
２３    第二揺動部材（第一揺動手段）
２３１    板金
２３２    支持片
２３３    支軸（第二支軸）
２３４    支持片
２３５    支軸孔
２３６    長孔
２３７    貫通孔
２３８    係止孔
２４    第三揺動部材（第二揺動手段）
２４１    板金
２４２    支持片
２４３    支軸（第三支軸）
２４４    連結アーム
２４４１    ピン
２４４２    他端
２４５    支軸孔
２４６    係止片
２５    第四揺動部材（第二揺動手段）
２５１    板金
２５２    支持片
２５３    支軸（第四支軸）
２５４    切欠
２６    フレキシブルプリント基板
３１    第一規制部（規制手段）
３１１    フック部材
３１１１    鉤部
３１１２    押圧部
３１２    バネ
３２    第二規制部（規制手段）
３２１    フック部材
３２１１    鉤部
３２１２    押圧部
３２２    バネ
３３    第三規制部（規制手段）
３３１    フック部材
３３１１    鉤部
３３１２    押圧部
３３２    バネ
３４    第四規制部（規制手段）
３４１    フック部材
３４１１    鉤部
３４１２    押圧部
３４２    バネ
Ｏ    光軸
【図１】
2007286177.tif 000003
【図２】
2007286177.tif 000004
【図３】
2007286177.tif 000005
【図４】
2007286177.tif 000006
【図５】
2007286177.tif 000007
【図６】
2007286177.tif 000008